(57)【要約】【課題】画像処理能力が異なる複数の画像形成装置がネットワークに接続されていても、プリント処理を効率よく行う。【解決手段】入力画像データに対して画像処理を行い、プリント用画像データを作成する画像管理装置２と、入力画像データが転送され、この画像データに対して画像処理を行い、プリント用画像データを作成する写真処理装置１と、がネットワークにより接続され、画像管理装置２は、プリント処理を行なうべき写真処理装置１を決定する送信先決定手段２４と、この決定結果に基づいて、第１画像処理部で行なう画像処理と、第２画像処理部で行なう画像処理との判断を行なう画像処理判断手段と、この結果に基づいて、第１画像処理部で行なうべき画像処理を施した処理途中の画像データを決定された画像形成装置に転送させる画像転送手段と、を備え、画像形成装置は、処理途中の画像データに対し残りの画像処理を施し、プリント用画像データを作成する。【選択図】図２
2009081677.tif 000002
【特許請求の範囲】
【請求項１】
入力された画像データに対して画像処理を行い、プリント作成用のプリント用画像データを作成することが可能な第１画像処理部を有する画像管理装置と、前記入力された画像データが転送され、この画像データに対して画像処理を行い、プリント作成用のプリント用画像データを作成することが可能な第２画像処理部を有する画像形成装置と、を備え、これら画像管理装置と複数の画像形成装置がネットワークにより接続されたプリント処理システムであって、
前記画像管理装置は、
入力された画像データに係るプリント処理を行なうべき画像形成装置を決定する送信先決定手段と、
送信先決定手段による決定結果に基づいて、第１画像処理部で行なうべき画像処理と、第２画像処理部で行なうことが可能な画像処理との判断を行なう画像処理判断手段と、
この画像処理判断手段による判断結果に基づいて、第１画像処理部で行なうべき画像処理を施した処理途中の画像データを決定された画像形成装置に転送させる画像転送手段と、を備え、
前記画像形成装置は、転送された処理途中の画像データを受信し、前記第２画像処理部により、残りの画像処理を施すことにより、前記プリント画像データを作成することを特徴とするプリント処理システム。
【請求項２】
請求項１に記載のプリント処理システムにおいて用いられる画像管理装置であって、
入力された画像データに係るプリント処理を行なうべき画像形成装置を決定する送信先決定手段と、
送信先決定手段による決定結果に基づいて、第１画像処理部で行なうべき画像処理と、第２画像処理部で行なうことが可能な画像処理との判断を行なう画像処理判断手段と、
この画像処理判断手段による判断結果に基づいて、第１画像処理部で行なうべき画像処理を施した処理途中の画像データを決定された画像形成装置に転送させる画像転送手段と、を備えていることを特徴とする画像管理装置。
【請求項３】
前記送信先決定手段は、第１画像処理部における画像処理能力、第２画像処理部における画像処理能力、画像形成装置におけるプリント作成能力、に基づいて、最速でプリント作成が可能な画像形成装置を決定することを特徴とする請求項２に記載の画像管理装置。
【請求項４】
前記送信先決定手段により、画像処理機能を備えていない画像形成装置が選択された場合、第１画像処理部により必要とされるすべての画像処理を行いプリント用画像データを作成することを特徴とする請求項２又は３に記載の画像管理装置。
【発明の詳細な説明】
【技術分野】
【０００１】
本発明は、入力された画像データに対して画像処理を行い、プリント作成用のプリント用画像データを作成することが可能な第１画像処理部を有する画像管理装置と、前記入力された画像データが転送され、この画像データに対して画像処理を行い、プリント作成用のプリント用画像データを作成することが可能な第２画像処理部を有する画像形成装置と、を備え、これら画像管理装置と複数の画像形成装置がネットワークにより接続されたプリント処理システム、及び、このシステムに用いられる画像管理装置に関するものである。
【背景技術】
【０００２】
複数の写真処理装置（画像形成装置の一例）と端末処理装置（画像管理装置の一例）とをネットワークで接続したプリント処理システムとしては、例えば、下記特許文献１，２により公知である。一般的に、写真処理装置でプリントを作成するためには、入力された画像データに対して画像処理を施してプリント用画像データを作成する必要がある。この画像処理は、写真処理装置に備えられたプリントエンジンに適した形の画像データに変換したり、適切な画質のプリントを作成したり、顧客の依頼に係るプリントサイズへの変換などのために必要とされるものである。
【０００３】
従って、かかる画像処理を行なうための機能を有する画像処理手段が必要であり、特許文献１においては、写真処理装置と画像管理装置の両方に画像処理部が設けられている。この先行技術においては、写真処理装置において入力された画像データに関しては、写真処理装置に設けられた画像処理部により画像処理が行なわれ、画像管理装置において入力された画像データに関しては画像管理装置に設けられた画像処理部により画像処理が行われる。従って、画像管理装置により作成されたプリント用画像データは、ネットワークを介して指定された写真処理装置へと転送されることになる。
【０００４】
【特許文献１】特開２００５−１７３７１４号公報
【特許文献２】特開２００６−１４０６０４号公報
【発明の開示】
【発明が解決しようとする課題】
【０００５】
上記のように、画像管理装置に入力された画像データに関して、すべて画像管理装置で画像処理を行なってプリント用画像データを作成するというシステムの場合、多量のプリント処理の注文があった場合、画像管理装置における画像処理に多くの時間を要し、プリント処理の効率が低下するという問題がある。
【０００６】
また、前述の先行技術において写真処理装置で画像処理を行うのは、特に現像済み写真フィルムから読み取った画像データについて行われるものであるが、写真フィルムからのプリント注文が減少して、デジタルカメラからのプリント注文が主流となっている現在においては、より画像管理装置における画像処理が集中する傾向にある。
【０００７】
さらに、写真処理装置における画像処理は、ハードウェア基板により行なわれるのが通常であるが、コストダウンのためにハードウェア基板を持たない写真処理装置も出現している。かかる写真処理装置は、画像処理を行なう機能を有しておらず、従って、画像管理装置でプリント用画像データを作成しなければならないことになる。
【０００８】
また、画像処理の機能を上げるためにバージョンアップが行なわれるが、ハードウェア基板を用いる写真処理装置の場合は、バージョンアップを行うためにはハードウェア基板の交換を伴い、コスト抑制や交換作業の煩雑さの関係からバージョンアップを行なわないことがある。一方、画像管理装置における画像処理は、通常はソフトウェアにより行なわれるものであり、バージョンアップは容易に行なうことができる。従って、バージョンの異なる画像処理機能が１つのネットワーク上で混在することがあり、特定の画像処理については、画像管理装置では行うことができるが、写真処理装置ではできないというケースも生じる。
【０００９】
かかる種々のタイプの写真処理装置がネットワークに接続される可能性があり、一律に画像管理装置で画像処理を行なう方式や、写真処理装置で画像処理を行なう方式では、ネットワーク全体で見た場合、プリント処理の効率があがらないという問題がある。
【００１０】
本発明は上記実情に鑑みてなされたものであり、その課題は、画像処理能力が異なる複数の画像形成装置や画像管理装置がネットワークに接続されていても、プリント処理を効率よく行うことが可能なプリント処理システム、及び、このシステムに用いられる画像管理装置を提供することである。
【課題を解決するための手段】
【００１１】
上記課題を解決するため本発明に係るプリント処理システムは、
入力された画像データに対して画像処理を行い、プリント作成用のプリント用画像データを作成することが可能な第１画像処理部を有する画像管理装置と、前記入力された画像データが転送され、この画像データに対して画像処理を行い、プリント作成用のプリント用画像データを作成することが可能な第２画像処理部を有する画像形成装置と、を備え、これら画像管理装置と複数の画像形成装置がネットワークにより接続されたプリント処理システムであって、
前記画像管理装置は、入力された画像データに係るプリント処理を行なうべき画像形成装置を決定する送信先決定手段と、送信先決定手段による決定結果に基づいて、第１画像処理部で行なうべき画像処理と、第２画像処理部で行なうことが可能な画像処理との判断を行なう画像処理判断手段と、この画像処理判断手段による判断結果に基づいて、第１画像処理部で行なうべき画像処理を施した処理途中の画像データを決定された画像形成装置に転送させる画像転送手段と、を備え、
前記画像形成装置は、転送された処理途中の画像データを受信し、前記第２画像処理部により、残りの画像処理を施すことにより、前記プリント画像データを作成することを特徴とするものである。
【００１２】
また、上記課題を解決するため本発明に係る画像管理装置は、
入力された画像データに係るプリント処理を行なうべき画像形成装置を決定する送信先決定手段と、送信先決定手段による決定結果に基づいて、第１画像処理部で行なうべき画像処理と、第２画像処理部で行なうことが可能な画像処理との判断を行なう画像処理判断手段と、この画像処理判断手段による判断結果に基づいて、第１画像処理部で行なうべき画像処理を施した処理途中の画像データを決定された画像形成装置に転送させる画像転送手段と、を備えていることを特徴とするものである。
【００１３】
かかる構成によるプリント処理システム及び画像管理装置の作用・効果を説明する。複数の画像形成装置と、画像管理装置とがネットワークにより接続されている。プリントを作成するためには、画像管理装置に入力された画像データに対して種々の画像処理を行って、プリント用画像データを作成する必要がある。そのために画像管理装置には第１画像処理部が設けられ、画像形成装置には第２画像処理部が設けられる。画像管理装置にプリント処理すべき画像データが入力された場合、送信先決定手段によりネットワークに接続されている複数の画像形成装置のうちの１つを決定する。
【００１４】
次に、この送信先決定手段により決定された結果に基づいて、第１画像処理部で行うべき画像処理と、第２画像処理部で行うことが可能な画像処理との判断を行なう。すなわち、画像処理を画像管理装置のみですべて行うのではなく、画像形成装置側でも行なえるものは画像形成装置で行なうようにする。そして、画像管理装置において行なわなければならない画像処理に関しては、画像管理装置により行う。このように画像処理を双方で分担して行なうことにより、画像管理装置の負担を軽減することができる。すなわち、まず画像管理装置において必要とされる画像処理を行った後、残りの画像処理を画像形成装置側で行う。これにより、画像管理装置に負担が集中するのを軽減し、プリント処理を効率よく行なうことができる。
【００１５】
例えば、画像管理装置の画像処理機能のほうがバージョンが高く、画像形成装置では行なえない画像処理は、第１画像処理部において行なう。第１画像処理部でも第２画像処理部でも行なうことができるものは、画像形成装置の方で行なうようにする。
【００１６】
本発明に係る送信先決定手段は、第１画像処理部における画像処理能力、第２画像処理部における画像処理能力、画像形成装置におけるプリント作成能力、に基づいて、最速でプリント作成が可能な画像形成装置を決定することが好ましい。
【００１７】
送信先の画像形成装置を決定する場合は、最もプリント処理が早く終了すると予測される画像形成装置を決定することが好ましい。そのために、第１・第２画像処理部における画像処理能力や画像形成装置におけるプリント作成能力に基づいて、プリント処理が完了するまでの時間を予測演算する。例えば、画像形成装置は１時間当たりサービスサイズを何枚作成可能であるかを示すデータや、夫々の画像処理部におけるＣＰＵの能力、さらに、プリント枚数やプリントサイズなども考慮すれば、どの画像形成装置を選択すれば最も早くプリントが仕上がるかを予測可能である。これにより、最も適切な画像形成装置を決定することができ、プリント処理の効率を高めることができる。
【００１８】
本発明において、前記送信先決定手段により、画像処理機能を備えていない画像形成装置が選択された場合、第１画像処理部により必要とされるすべての画像処理を行いプリント用画像データを作成することが好ましい。
【００１９】
ネットワークには、画像処理部を備えていない画像形成装置が接続される可能性もある。従って、送信先決定手段により、かかる画像管理装置が決定された場合は、画像管理装置の第１画像処理部により必要とされる画像処理をすべて行いプリント用画像データを作成する。これを画像形成装置に転送することで、画像形成装置はそれをそのまま用いて、プリント作成をおこなうことができる。
【発明を実施するための最良の形態】
【００２０】
本発明に係るプリント処理システムの好適な実施形態を図面を用いて説明する。図１は、システムの概要を示す模式図である。
【００２１】
＜プリント処理システムの構成＞
図１において、複数の写真処理装置（画像形成装置に相当）１と画像管理装置２とがネットワーク３により接続されている。なお、画像管理装置２は、１台ではなく複数台をネットワークに接続してもよい。写真処理装置１は、基本的には複数台が設置されるが、何台接続するかは任意である。ネットワーク３はイーサネット等の汎用性のあるＬＡＮにより構築されるが、これに限定されるものではない。ネットワーク３は、有線・無線のいずれであってもよく、有線と無線を組み合わせてもよい。
【００２２】
写真処理装置１は、銀塩ペーパーに画像形成する方式のものが一般的には使用されるが、画像形成装置としてはこれに限定されるものではなく、例えば、インクジェットプリンタを用いてもよく、種々の方式の画像形成装置を組み合わせてプリント処理システムを構築してもよい。
【００２３】
受付端末４は、プリント依頼を行なうために来店した顧客により操作される装置であり、デジタルカメラの記憶媒体から画像データが入力される。かかる記憶媒体としては、コンパクトフラッシュTM、スマートメディアTMなどが例としてあげられる。その他に、ＣＤ−Ｒやフラッシュメモリなども記憶媒体の例としてあげられる。なお、受付端末４を介して画像データを入力するのではなく、画像管理装置２に直接入力させるように構成してもよい。
【００２４】
受付端末４は、実際には複数台がネットワークに接続されており、入力された画像データは、適宜のタイミングにて画像管理装置１に送信され、一旦保存される。
【００２５】
＜画像管理装置の構成＞
次に、画像管理装置２の主要な機能について図２のブロック図により説明する。画像管理装置２は、汎用性を有するコンピュータ（パソコン）及びその周辺機器により構成することができる。
【００２６】
オーダーデータ保存部２０は、プリント処理を行なうべき画像データが保存される。画像データは、受付端末４から送信されてくるものであり、オーダー単位でオーダーデータ保存部２０に保存される。ここで、オーダー単位とは、プリント処理を管理する場合の単位を示すものであり、画像データはオーダーごとに付与される管理番号（管理用ＩＤ）により管理される。例えば、顧客が１つの記憶媒体を持参して５０枚分のプリント処理の依頼を行った場合、その５０枚分のプリント処理に係る画像データ群により、１オーダーが構成される。従って、２つの記憶媒体を持参した場合は、２オーダーが構成される。なお、１オーダー（１つの記憶媒体）に係るプリント枚数が多い場合は、２つ以上のオーダーに分割して管理してもよい。
【００２７】
オーダーデータ保存部２０は、ハードディスクなどの大容量記憶装置により構成される。保存される画像データは、プリント処理を行なった後に削除されるが、削除するタイミングは適宜設定することができる。例えば、プリント処理を行った後に削除してもよいし、後日の焼き増し注文に備えて所定期間（例えば、１週間）保存した後に削除してもよい。
【００２８】
オーダー単位で画像データを保存する場合には、画像データのみが保存されるのではなく、そのほかのオーダデータも合わせて保存される。例えば、プリント作成のためには、プリントサイズを指定する必要があるため、サイズデータが保存されている。また、個々の画像データについて、何枚プリントをするのかについてのプリント枚数データも保存される。また、赤目補正などの特殊な補正の依頼があれば、それを表すデータも保存される。
【００２９】
画像処理部２１（第１画像処理部に相当）は、入力された画像データ（オーダーデータ保存部２０に保存されている画像データ）に対して画像処理を行い、プリント作成のために必要なプリント用画像データを作成する機能を有する。画像処理部２１は、画像処理を行なうために必要なソフトウェアにより構築することができるが、機能の一部もしくは全部をハードウェアにより構成することも可能である。
【００３０】
プレジャッジ用画像処理手段２１ａは、プレジャッジを行なうために必要な機能を提供する。プレジャッジとは、表示手段であるモニター２７に画像データを表示させて、適切な色・濃度のプリントに仕上がるか否かを判定することをいう。モニター２７に画像を表示させる場合は、オーダーデータ保存部２０に保存されている画像データからサムネイル画像データを生成することで、モニター２７に画像表示をさせることができる。
【００３１】
オペレータは、モニター２７に映し出された画像を見ながら、適切な画質のプリントが作成されるか否かを判定する。画質が適切でないと判断した場合は、色・濃度の補正データを入力する。また、前述の赤目補正のほか、階調補正などの特殊な補正についても必要に応じて行われ、その補正データが入力される。これらの補正データは、個々の画像データに付随するデータとしてオーダーデータ保存部２０に保存される。
【００３２】
１オーダー分の画像データについてプレジャッジが終了すると、プリント処理指示手段１２ｂにより、そのオーダーに関してプリント処理を開始するように指令を与えることができる。例えば、画面上に表示されるプリント開始ボタンをクリックすることにより、プリント処理の開始を行なうことができる。
【００３３】
プリント処理の開始は、例えば、１オーダーに５０枚分の画像データが含まれる場合、５０枚分すべての画像についてのプレジャッジが終了した後に、プリント処理の開始を行なうことができる。また、モニター２７に画像表示を行う場合、所定枚数（例えば、６枚）ずつ行なうことが一般的であるので、当該所定枚数のプレジャッジが終了するごとにプリント処理の指示を与えるようにしてもよい。
【００３４】
画像処理部２１で行なわれる画像処理には種々の種類の画像処理があり、先ほど説明したプレジャッジにおいて設定される補正データも画像処理を行う際に用いられる。画像処理は、画像処理手段２１ｃの機能により行なわれるが、各写真処理装置１も基本的には画像処理の機能を備えている。ただし、ネットワーク３には、画像処理の機能を備えていない写真処理装置1が接続されることもある。
【００３５】
写真処理装置１においてプリントを作成するためには、最終的には入力された画像データに対して種々の画像処理を施してプリント用画像データを作成すればよい。このようなプリント用画像データは、画像管理装置２の画像処理部２１ですべて作成するようにしてもよいが、オーダーが集中した場合などには画像処理に時間がかかり、予定された仕上がり時間にプリントが仕上がらないというおそれが生じる。
【００３６】
従って、プリント用画像データを作成するための画像処理は、すべて画像管理装置２で行うのではなく、可能な限り、写真処理装置１が有する画像処理部１ａ（第２画像処理部に相当）でも画像処理を行なわせることが好ましい。特に、写真処理装置1に備えられている画像処理部１ａは、ハードウェア基板を用いて行なわれるものであり、処理速度が速いという利点がある。一方、画像管理装置２における画像処理部２１は、画像管理装置２が汎用のパソコンで構成される場合には、ソフトウェアを用いて行なわれるため、写真処理装置1に比べると処理速度は遅い。この点においても、写真処理装置１で画像処理を行なわせるのが好ましいが、すべてを写真処理装置１で行なわせるには次のような問題点がある。
【００３７】
すなわち、前述のように画像処理機能を備えていない写真処理装置1が接続される可能性があり、かかる写真処理装置１が選択された場合には、画像管理装置２において画像処理を行なわざるをえない。
【００３８】
また、画像処理の機能を上げるためにバージョンアップが行なわれるが、ハードウェア基板を用いる写真処理装置１の場合は、バージョンアップを行うためにはハードウェア基板の交換を伴い、コスト抑制や交換作業の煩雑さの関係からバージョンアップを行なわないことがある。一方、画像管理装置２における画像処理は、通常はソフトウェアにより行なわれるものであり、バージョンアップは容易に行なうことができる。従って、バージョンの異なる画像処理機能が１つのネットワーク上で混在することがあり、特定の画像処理については、画像管理装置２では行うことができるが、写真処理装置１ではできないというケースも生じる。
【００３９】
従って、種々の画像処理を施して、最終的にプリント画像データを作成する場合、画像管理装置２で行うべき画像処理と、写真処理装置１で行なうべき画像処理とに分けて分担して画像処理を行うことが可能に構成されている。このように分担を決めるための機能として、画像処理判断手段２１ｄが設けられている。
【００４０】
画像処理判断手段２１ｄは、上記の画像処理の分担内容を判断し、画像管理装置２で行なわせるべき画像処理のみを画像処理手段２１ｃにより行なわせる。これにより、処理途中の画像データが作成されることになるが、画像転送手段２１ｅの機能により、この処理途中の画像データは写真処理装置１へと転送され、残りの画像処理は写真処理装置１の画像処理部１ａにおいて行なわれる。これにより、最終的にプリント用画像データが作成される。
【００４１】
次に、画像処理の種々の具体例について説明する。上記説明したプレジャッジにおいて設定される補正データにより色・濃度を修正するための画像処理が行なわれる。また、作成されるプリントサイズに対応した画像データとするために、入力した画像データに対する拡大処理もしくは縮小処理が行われる。また、ＪＰＥＧなどの圧縮形式の画像ファイルをビットマップに展開するための画像処理も行われる。
【００４２】
また、画像データのトリミング処理やフレームとの合成処理についても、画像処理の一例である。フレームとの合成については、例えば、年賀状プリント、カレンダープリントなどの作成の場合は、予め決められたフレームデータと画像データとの合成処理が行われる。
【００４３】
また、特殊な画像補正として、赤目補正、階調補正、逆光補正などがある。このような特殊補正は、画像処理手段のバージョンによってはできないというケースがありうる。
【００４４】
次に、写真処理装置１の特性に依存する画像処理について説明する。その代表的なものとしては、現像処理液の経時変化に起因するものがある。すなわち、現像処理液は使用している間に劣化していくものであり、これにより、発色にも影響を及ぼす。従って、写真処理装置１を毎日立ち上げる時にテストプリントを作成し、テストプリントに形成された色・濃度のチェックを行なっている。そして、予め設定された発色が得られるように、補正データが作成される。補正データは、例えば、ＬＵＴ（ルックアップテーブル）のような形態で提供されるものである。また、現像処理液の状態は、仮に全く同じ機種であったとしても写真処理装置１ごとに異なるものになる。この補正データについては、画像管理装置２において一括管理する必要があり、補正データは、プリンタ情報データベース２２に保存される。また、補正データは日々更新されるものであり、プリンタ情報データベース２２もそれに連動してデータが更新される。
【００４５】
また、写真処理装置１において画像形成を行う場合には、露光エンジンが用いられる。露光エンジンには、レーザー光により画像形成を行なわせるレーザーエンジンの他に、ＰＬＺＴエンジン、ＣＲＴエンジンなどがある。これらエンジンの特性に応じたシャープネスの補正を行う必要がある。エンジンの種類が異なれば、当然、補正データも異なり、また、同じレーザーエンジンであっても機体差により特性は異なる。従って、かかる補正データも写真処理装置１の特性に依存する画像処理であり、プリンタ情報データベース２２において一括管理される。
【００４６】
なお、入力された画像データのビット数を露光エンジンで画像形成を行う時のビット数に合わせるための画像処理が行われることもある。例えば、露光エンジンが１２ビットのカラー画像を作成する場合、入力されたオリジナルの画像データが８ビットであれば、８ビットから１２ビットに変換するための画像処理が行なわれることになる。
【００４７】
また、銀塩式の画像形成装置ではなく、インクジェットプリンタを用いる場合は、インクジェット用に対応した画像データの展開を行う必要があるため、かかる画像処理も行なわれる。
【００４８】
プリンタ情報データベース２２は、写真処理装置１に関する種々の情報が保存されたデータベースである。前述の現像処理液の変化に起因する補正データは、日々変化するものであるから、毎日補正データが更新される。また、シャープネスに関する補正データやその他の画像処理用の補正データも記憶される。また、各写真処理装置１には固有の識別情報が割り振られており、この識別情報と関連付けて画像処理を行なうための補正データが記憶されている。従って、識別情報を指定することで、対応するデータを読み出すことができる。
【００４９】
また、各写真処理装置の画像処理能力やプリント作成能力に関するデータも合わせて保存されている。画像処理能力としては、特定の画像処理を行なうのにどの程度時間がかかるのかについてのデータが記憶されている。同じ内容の画像処理であっても、高速で処理できる機種とそうでない機種が存在する。画像データの枚数や、画像データのサイズが分かれば、１オーダー分（例えば、５０枚分）の画像データに対して必要とされる画像処理のトータルの時間を予め演算することができる。
【００５０】
画像処理にかかる時間については、画像管理装置２の画像処理部１２に関しても同様であり、予め予測演算することが可能である。
【００５１】
また、プリンタ情報データベース２２には、プリント作成能力に関するデータが各写真処理装置１ごとに保存されている。例えば、サービスサイズ（あるいは、２Ｌ、８つ切など）のプリントを１時間当たり何枚作成できるか、に関するデータも保存されている。
【００５２】
このような個々の写真処理装置１の能力に関するデータは、ネットワーク３を経由して写真処理装置１から取り込む（ダウンロード）ことが可能である。また、写真処理装置1に固有の補正データ（前述の現像処理液の劣化に関するものなど）もネットワーク経由でダウンロードすることができる。もちろん、ネットワーク経由で取り込むのではなく、画像管理装置２に直接入力するように構成してもよい。
【００５３】
入力操作部２３は、キーボードやマウス等により構成されるものであり、プレジャッジ作業を行う場合などに、必要なデータの入力を行なったり、操作指令を行なうものである。
【００５４】
送信先決定手段２４は、プリントを作成するために画像データを送信すべき写真処理装置１を決定する機能を有する。複数の写真処理装置１の中から１つを決定するまでのアルゴリズムは、適宜決めることができる。例えば、次のようにして決めることができる。
【００５５】
まず、３台の写真処理装置１が接続されているとし、そのうちの２台が稼働中であり、残りの１台が稼動していなければ、その写真処理装置１を選択することができる。稼働中か否かの状態を表わす信号は、各写真処理装置１から所定時間間隔ごとに受信することができる。仮に、すべての写真処理装置１が稼働中であれば、その時点では決定することができず、どれか１台が空くまで待機するという方法もあるが、後述のように、どの写真処理装置１が一番早く空きになるかを予測演算してもよい。
【００５６】
また、上記において、稼働中でなくても、メンテナンス中であることもあり、その場合も写真処理装置１を決定できない場合に相当する。メンテナンスの例としては、ペーパーの交換作業や、ペーパー詰まり対策などがある。メンテナンスが終了すれば、その旨の信号が画像管理装置２に送信される。これに基づいて、写真処理装置１を決定することもできる。
【００５７】
更に、複数台の写真処理装置１が稼働中である場合、どの写真処理装置１が一番先にプリント処理を終了するかを予想することが可能である。例えば、画像管理装置２では、どの写真処理装置１にどのようなオーダーを依頼したかは一括して管理されているため、各写真処理装置１におけるプリント枚数を把握することができる。
【００５８】
また、稼働中の写真処理装置１におけるプリント処理進行状況に関するデータをネットワーク３を介して取得するようにすることができる。進行状況のデータとしては、例えば、「現在６０％完了、残り時間○○分」というデータを受け取ることで、各写真処理装置１の稼働状況を把握することができ、プリント処理が最も早く終了する写真処理装置１を画像管理装置２側で認識することができる。
【００５９】
また、前述のように画像管理装置２及び写真処理装置１における画像処理に要する時間やプリント作成に要する時間も予測演算することができる。従って、プリントサイズ及びプリント枚数は、予めオーダーデータとして分かっており、プリント処理の終了時刻を予測演算することができる。これに基づいて、一番早くプリント処理が終了すると予測された写真処理装置１を次の送信先として決定することができる。
【００６０】
また、現在可動中の写真処理装置１に関していえば、現在処理中のプリント作成が終了するまでの時間に、これから処理しようとしているオーダーに要するトータルの処理時間を加算すれば、終了時刻を予測できることになる。現在稼動していない（プリント処理依頼待ち）写真処理装置１であれば、これから処理しようとしているオーダーに要するトータルの処理時間に基づいて、終了時刻を予測できることになる。
【００６１】
以上のように、送信先決定手段２４は、画像処理時間演算機能２４ａとプリント処理時間演算機能２４ｂと終了時刻演算機能２４ｃを備えている。
【００６２】
コントローラ２５は、図２に図示される各手段及びオーダーデータ保存部２０、プリンタ情報データベース２２に対する制御やその他の制御を統括的に行う。
【００６３】
通信手段２６は、ネットワーク３を経由して送信されてくる画像データを受信し、また、各写真処理装置１からの種々のデータや信号を受信する。また、作成されたプリント用画像データもしくは処理途中の画像データは、オーダー単位で指定された写真処理装置１へと送信される。
【００６４】
＜プリント作成までの手順＞
次に、入力された画像データを用いて画像プリントを作成するまでの手順を図３のフローチャートにより説明する。
【００６５】
受付端末４において取り込まれた画像データ群は、ネットワーク３を介して画像管理装置２に受信される（Ｓ１）。受信された画像データは、オーダー単位でオーダーデータ保存部２０に保存され、オーダー単位で管理される（Ｓ２）。
【００６６】
保存された画像データについては、プレジャッジが行われる（Ｓ３）。どのようなオーダーが現在保存されているかについては、プレジャッジ用画像処理手段２１ａの機能を用いて、モニター画面に表示させることができる。プレジャッジを開始する場合は、どのオーダーについて行なうのかモニター２７を見ながら指定する。なお、プレジャッジが終了しているオーダーに関しては、その旨の識別表示がなされるようにしている。
【００６７】
プレジャッジの開始指令を行なうと、オーダーデータ保存部２０に保存されている、そのオーダーの画像データからサムネイル画像データを作成する（Ｓ４）。このサムネイル画像データは、画像をモニター２７に表示させるために使用するものである。モニター２７に表示させる場合は、例えば、１画面につき６枚ずつ画像を表示させる。
【００６８】
オペレータは、モニター２７に表示された画像を見ながら、色・濃度が適切な画像プリントが作成されるか否かを判定する（Ｓ５）。そのままでは適切な画質にならないと判断した場合は、色・濃度の補正データを入力操作部２５を用いて入力する（Ｓ６）。補正データを入力した結果は、モニター画面にすぐに反映されるので、適切な画質になるまで補正データの入力・修正を行なうことができる。確定した補正データは、対応する画像データと対応付けられた形でオーダーデータ保存部２０に保存される（Ｓ７）。
【００６９】
画像のすべてについてプレジャッジが終了すれば（Ｓ８）、プリント処理の開始指令を行なう（Ｓ９）。次に、送信先決定手段２４の機能に基づき、送信先を決定するための処理を行う（Ｓ１０）。
【００７０】
前述のように、各写真処理装置１について、プリント作成の終了時刻を予測演算し、最も早くプリント作成が完了する写真処理装置１を決定することができる。また、稼動していない写真処理装置１があれば、直ちにその写真処理装置１に決定してもよい。また、稼動していない写真処理装置１が複数存在すれば、最も早く仕上がる写真処理装置１を決定すればよい。
【００７１】
次に、画像処理判断手段２１ｄにより、行なうべき画像処理のうち、画像管理装置２側で行うべきものと、写真処理装置１側で行なうべきものについて判断する（Ｓ１１）。写真処理装置１側で行うことのできる画像処理であれば、できるだけ写真処理装置１で行なうように分担を分けるようにする。
【００７２】
画像管理装置２側で行なうべき画像処理が決まれば、画像処理手段１２ｃにより、入力された画像データに対して画像処理を行う（Ｓ１２）。この画像処理の結果得られたものはプリント用画像データではなく、処理途中の画像データである。この処理途中の画像データは、決定された写真処理装置１へと転送される（Ｓ１４）。すなわち、画像転送手段２１ｅの機能により、通信手段２６を介してネットワーク３へ送出され、指定された写真処理装置１へ送信される。
【００７３】
なお、決定された写真処理装置１がまだ稼働中であるなど、ただちに画像データを転送できない事情がある場合は、送信可能になるまで待機する（Ｓ１３）。その場合は、一時的に処理途中の画像データを保存し、転送可能になった時点で送信を行なう（Ｓ１４）。
【００７４】
写真処理装置１において、転送されてきた処理途中の画像データを受信し（Ｓ１４），写真処理装置１の画像処理部１ａでは、残りの必要とされる画像処理を実行する（Ｓ１５）。これにより、プリント用画像データが作成される（Ｓ１６）。
【００７５】
写真処理装置１が銀塩式のプリンタである場合は、概ね、次のような手順でプリントが作成される。作成されたプリント用画像データは、レーザーエンジンに送信され、画像データにより光変調されたレーザー光により、ペーパーの乳剤面に潜像を形成させる。潜像が形成されたペーパーは、現像処理部へと送られて潜像が顕在化され、写真プリントが作成される。プリントは、オーダー単位で集積部に集積され、袋詰めされる。
【００７６】
＜別実施形態＞
本発明において、画像処理機能を備えていない写真処理装置１をネットワーク３に接続してもよい。すなわち、画像処理機能を有する写真処理装置１と、画像処理機能を有していない写真処理装置１とが混在した状態でシステムを構築してもよい。
【００７７】
本実施形態において、種々の画像処理の具体的な内容を説明したが、これらはあくまでも例示であり、本発明は、これに限定されるものではない。
【００７８】
本発明において、プリント用画像データとは、プリントを作成するために必要とされる最終的な形態のデータを意味するものである。単に画像データという場合には、本実施形態で説明しているような処理途中の画像データや、入力された（オリジナルの）画像データを指すものとする。
【００７９】
本発明において、処理途中の画像データを一時的に記憶させて記憶手段を設けてもよい。
【図面の簡単な説明】
【００８０】
【図１】プリント処理システムの概要を示す模式図
【図２】画像管理装置の主要な機能を示すブロック図
【図３】プリント作成するときの処理手順を示すフローチャート
【符号の説明】
【００８１】
１        写真処理装置
１ａ      画像処理部（第２画像処理部）
２        画像管理装置
３        ネットワーク
２０      オーダーデータ保存部
２１      画像処理部（第１画像処理部）
２１ｃ    画像処理手段
２１ｄ    画像処理判断手段
２１ｅ    画像転送手段
２２      プリンタ情報データベース
２３      入力操作部
２４      送信先決定手段
２５      コントローラ
２６      通信手段
【図１】
2009081677.tif 000003
【図２】
2009081677.tif 000004
【図３】
2009081677.tif 000005